(57)【要約】【課題】蓄積された塵埃等のコンタミネーションの記録媒体上への落下や再度浮遊することを防止し、信頼性の向上したヘッドジンバルアッセンブリ、およびこれを備えたディスク装置を提供する。【解決手段】実施形態によれば、ディスク装置のヘッドジンバルアッセンブリ３０は、ロードビーム３４ａおよびジンバル３６を有するサスペンション３４と、ヘッドを有し、ジンバルに取付けられたスライダ５０と、ジンバルとスライダの空気流入端とが重なる部分でジンバルとスライダとの間に形成されコンタミネーションを収容する隙間部６０と、を備えている。【選択図】  図５
2011248976.tif 000002
【特許請求の範囲】
【請求項１】
ロードビームおよびジンバルを有するサスペンションと、
ヘッドを有し、前記ジンバルに取付けられたスライダと、
前記ジンバルと前記スライダの空気流入端とが重なる部分で前記ジンバルとスライダとの間に形成されコンタミネーションを収容する隙間部と、
を備えるヘッドジンバルアッセンブリ。
【請求項２】
前記ロードビームは、前記ジンバルを介して前記スライダの中央部に当接する突起を有し、前記隙間部の高さは、前記突起の突出高さよりも小さい請求項１に記載のヘッドジンバルアッセンブリ。
【請求項３】
前記隙間部は、前記スライダの幅方向に沿って延び、前記スライダの流入端側に開口している請求項２に記載のヘッドジンバルアッセンブリ。
【請求項４】
前記隙間部は、前記スライダの幅方向の全長に亘って延びている請求項３に記載のヘッドジンバルアッセンブリ。
【請求項５】
前記隙間部は、前記スライダの幅よりも短い長さに形成されている請求項３に記載のヘッドジンバルアッセンブリ。
【請求項６】
前記隙間部の流出端側は、前記ジンバルにより閉じられ、前記空気流の流出側に向かって先細に形成されている請求項３に記載のヘッドジンバルアッセンブリ。
【請求項７】
前記隙間部は、前記スライダの幅方向に沿って延び、前記空気流の流入端側および流出端側が前記ジンバルにより閉じられ、前記スライダ側に開口している請求項２に記載のヘッドジンバルアッセンブリ。
【請求項８】
前記ジンバルは、前記スライダに対応した大きさで平坦に形成された取付け部を有し、前記スライダは前記取付け部に接着されている請求項２に記載のヘッドジンバルアッセンブリ。
【請求項９】
前記ジンバルの取付け部は、それぞれ前記スライダ側に突出した複数のボスを有し、前記スライダは、前記複数のボス上に支持され、前記隙間部の高さは、前記ボスの突出高さよりも大きく、前記突起の突出高さよりも小さい請求項８に記載のヘッドジンバルアッセンブリ。
【請求項１０】
ディスク状の記録媒体と、
前記記録媒体を支持し回転する駆動モータと、
前記記録媒体に対して情報処理するヘッドを前記記録媒体に対して移動可能に支持するヘッドスタックアッセンブリと、を備え、
前記ヘッドスタックアッセンブリは、軸受部と、前記軸受部に支持された複数のヘッドジンバルアッセンブリと、を有し、
各ヘッドジンバルアッセンブリは、ロードビームおよびジンバルを有するサスペンションと、ヘッドを有し、前記ジンバルに取付けられたスライダと、前記ジンバルと前記スライダの空気流入端とが重なる部分で前記ジンバルとスライダとの間に形成されコンタミネーションを収容する隙間部と、を備えているディスク装置。
【請求項１１】
前記ロードビームは、前記ジンバルを介して前記スライダの中央部に当接する突起を有し、前記隙間部の高さは、前記突起の突出高さよりも小さい請求項１０に記載のディスク装置。
【請求項１２】
前記隙間部は、前記スライダの幅方向に沿って延び、前記スライダの流入端側に開口している請求項１１に記載のディスク装置。
【発明の詳細な説明】
【技術分野】
【０００１】
ここで述べる実施形態は、ディスク装置に用いるヘッドジンバルアッセンブリ、およびこれを備えたディスク装置に関する。
【背景技術】
【０００２】
近年、コンピュータの外部記録装置や画像記録装置として磁気ディスク装置、光ディスク装置などのディスク装置が広く用いられている。  
ディスク装置として、例えば、磁気ディスク装置は、一般に、ケース内に配設された磁気ディスク、磁気ディスクを支持および回転駆動するスピンドルモータ、磁気ヘッドを支持したヘッドアクチュエータ、ヘッドアクチュエータを駆動するボイスコイルモータ（以下、ＶＣＭと称する）、回路基板ユニット等を備えている。
【０００３】
ヘッドアクチュエータは、軸受部と、軸受部に積層され軸受部から延出した複数のアームと、を備え、各アームには、サスペンションを介して磁気ヘッドが取り付けられている。磁気ヘッドは、スライダおよびスライダに設けられたヘッド部（記録再生素子）を有し、ジンバルばねを介してサスペンションに支持されている。磁気ヘッド、ジンバルばね、サスペンション、磁気ヘッドに接続された配線トレース、および、場合によって、アームは、ヘッドジンバルアッセンブリを構成している。
【先行技術文献】
【特許文献】
【０００４】
【特許文献１】特許第２５８５４３１号公報
【特許文献２】特許第４０６１１７８号公報
【発明の概要】
【発明が解決しようとする課題】
【０００５】
上記のような磁気ディスク装置において、ドライブ内で発生するコンタミネーションは、ドライブ内の空気流にのり、一部の塵埃はスライダ流入端とジンバルばねの接触箇所近傍に蓄積される。これは、その近辺において空気流の流速がおおよそゼロになる「よどみ点」が発生することによる。蓄積された塵埃は、磁気ヘッドのローディング／アンローディングなどの動作によりディスク上に落下し、ヘッドとディスクとの間に侵入する場合が考えられる。この場合、磁気ヘッドあるいはディスクに重大な障害を引き起こす可能性がある。
【０００６】
この発明は以上の点に鑑みなされたもので、その目的は、蓄積された塵埃等のコンタミネーションの記録媒体上への落下や再度浮遊することを防止し、信頼性の向上したヘッドジンバルアッセンブリ、およびこれを備えたディスク装置を提供することにある。
【課題を解決するための手段】
【０００７】
実施形態によれば、ヘッドジンバルアッセンブリは、ロードビームおよびジンバルを有するサスペンションと、ヘッドを有し、前記ジンバルに取付けられたスライダと、前記ジンバルと前記スライダの空気流入端とが重なる部分で前記ジンバルとスライダとの間に形成されコンタミネーションを収容する隙間部と、を備えている。
【図面の簡単な説明】
【０００８】
【図１】図１は、第１の実施形態に係るＨＤＤをトップカバーを取り外して示す斜視図。
【図２】図２は、前記ＨＤＤのヘッドスタックアッセンブリを示す斜視図。
【図３】図３は、前記ヘッドスタックアッセンブリのヘッドジンバルアッセンブリを示す平面図。
【図４】図４は、前記ヘッドジンバルアッセンブリの磁気ヘッドおよびジンバルばねを拡大して示す平面図。
【図５】図５は、図４の線Ａ−Ａに沿ったジンバルアッセンブリ先端部分の断面図。
【図６】図６は、第２の実施形態に係るＨＤＤのヘッドジンバルアッセンブリのヘッド回りの部分を拡大して示す平面図。
【図７】図７は、図６の線Ｂ−Ｂに沿ったジンバルアッセンブリ先端部分の断面図。
【図８】図８は、第３の実施形態に係るＨＤＤのヘッドジンバルアッセンブリのヘッド回りの部分を拡大して示す平面図。
【図９】図９は、図８の線Ｃ−Ｃに沿ったジンバルアッセンブリ先端部分の断面図。
【図１０】図１０は、第４の実施形態に係るＨＤＤのヘッドジンバルアッセンブリのヘッド回りの部分を拡大して示す平面図。
【図１１】図１１は、第５の実施形態に係るＨＤＤのヘッドジンバルアッセンブリのヘッド回りの部分を拡大して示す平面図。
【発明を実施するための形態】
【０００９】
以下図面を参照しながら、第１の実施形態に係る磁気ディスク装置（ＨＤＤ）について詳細に説明する。図１は、トップカバーを外してＨＤＤの内部構造を示している。図１に示すように、ＨＤＤは筐体１０を備えている。筐体１０は、上面の開口した矩形箱状のベース１２と、複数のねじによりベースにねじ止めされてベースの上端開口を閉塞する図示しないトップカバーと、を有している。ベース１２は、矩形状の底壁１２ａと、底壁の周縁に沿って立設された側壁１２ｂとを有している。
【００１０】
筐体１０内には、記録媒体としての２枚の磁気ディスク１６、および磁気ディスクを支持および回転させる駆動部としてのスピンドルモータ１８が設けられている。スピンドルモータ１８は、底壁１２ａ上に配設されている。各磁気ディスク１６は、例えば、直径６５ｍｍ（２．５インチ）に形成され、上面および下面に磁気記録層を有している。磁気ディスク１６は、スピンドルモータ１８の図示しないハブに互いに同軸的に嵌合されているとともにクランプばね２７によりクランプされ、ハブに固定されている。これにより、磁気ディスク１６は、ベース１２の底壁１２ａと平行に位置した状態に支持されている。そして、磁気ディスク１６は、スピンドルモータ１８により所定の速度、例えば、５４００ｒｐｍあるいは７２００ｒｐｍの速度で回転される。
【００１１】
筐体１０内には、磁気ディスク１６に対して情報の記録、再生を行なう複数の磁気ヘッド１７、これらの磁気ヘッドを磁気ディスク１６に対して移動自在に支持したヘッドスタックアッセンブリ（以下、ＨＳＡと称する）２２、ＨＳＡを回動および位置決めするボイスコイルモータ（以下ＶＣＭと称する）２４、磁気ヘッド１７が磁気ディスク１６の最外周に移動した際、磁気ヘッドを磁気ディスクから離間した退避位置に保持するランプロード機構２５、ＨＤＤに衝撃等が作用した際、ＨＳＡを退避位置に保持するラッチ機構２６、およびプリアンプ等を有する基板ユニット２１が収納されている。
【００１２】
ベース１２の底壁１２ａ外面には、図示しないプリント回路基板がねじ止めされている。プリント回路基板は、基板ユニット２１を介してスピンドルモータ１８、ＶＣＭ２４、および磁気ヘッド１７の動作を制御する。ベース１２の側壁には、可動部の稼動によって筐体内に発生した塵埃を捕獲する循環フィルタ２３が設けられ、磁気ディスク１６の外側に位置している。また、ベース１２の側壁には、筐体１０内に流入する空気から塵埃を捕獲する呼吸フィルタ４８が設けられている。
【００１３】
図２は、ＨＳＡ２２を示す斜視図である。図１および図２に示すように、ＨＳＡ２２は、回転自在な軸受ユニット２８と、この軸受ユニット２８に積層状態で取付けられた複数のスタック部材とを備えている。スタック部材は、４本のヘッドジンバルアッセンブリ（以下、ＨＧＡと称する）３０と、ＨＧＡ間にそれぞれ積層配置された２つのスペーサリングとを含んでいる。
【００１４】
軸受ユニット２８は、ベース１２の長手方向に沿って磁気ディスク１６の回転中心から離間して位置しているとともに、磁気ディスク１６の外周縁近傍に配置されている。軸受ユニット２８は、ベース１２の底壁１２ａに立設される枢軸と、枢軸に軸受を介して回転自在に支持された円筒形状のスリーブと、を有している。
【００１５】
図１、図２、図３に示すように、各ＨＧＡ３０は、軸受ユニット２８から延出したアーム３２、アームから延出したサスペンション３４、およびサスペンションの延出端にジンバルを介して支持された磁気ヘッド１７を有している。
【００１６】
アーム３２は、例えば、ステンレス、アルミニウム、ステンレスを積層して薄い平板状に形成され、その一端、つまり、基端には円形の透孔が形成されている。サスペンション３４は、細長い板ばね状のロードビーム３４ａおよびこのロードビームに取付けられる後述のジンバル３６により構成され、その基端がスポット溶接あるいは接着によりアーム３２の先端に固定され、アームから延出している。サスペンション３４およびアーム３２は、同一材料で一体に形成してもよい。なお、ＨＧＡは、アームを含まない概念としてもよい。
【００１７】
アーム３２およびロードビーム３４ａ上には配線トレースとして中継フレキシブルプリント基板（以下、中継ＦＰＣと称する）４０が設置され、磁気ヘッド１７は、この中継ＦＰＣ４０を介して後述するメインＦＰＣ２１ｂに電気的に接続される。
【００１８】
図１および図２に示すように、４本のＨＧＡ３０およびスペーサリングは、アーム３２の透孔およびスペーサリングの透孔に軸受ユニット２８のスリーブが挿通された状態でスリーブの外周に嵌合され、スリーブの軸方向に沿って積層配置されている。４本のアーム３２に設けられた位置決め孔には、上方から位置決め用のねじ３８が挿通されている。これにより、４本のアーム３２、およびスペーサリングは、軸受ユニット２８の円周方向に対して、互いに所定位置に位置決めされている。これにより、４本のアーム３２は、所定の間隔を置いて互いに平行に位置しているとともに軸受ユニット２８から同一の方向へ延出している。上側２本のアーム３２は所定の間隔を置いて互いに平行に位置し、これらのアームに取付けられたサスペンション３４および磁気ヘッド１７は互いに向かい合って位置している。また、下側２本のアーム３２は所定の間隔を置いて互いに平行に位置し、これらのアームに取付けられたサスペンション３４および磁気ヘッド１７は互いに向かい合って位置している。
【００１９】
一方のスペーサリングには、合成樹脂からなる支持フレーム４３が一体的に成形されている。支持フレーム４３は、軸受ユニット２８からアーム３２と反対の方向へ延出している。支持フレーム４３には、ＶＣＭ２４の一部を構成するボイスコイル４１が埋め込まれている。
【００２０】
図１からよくわかるように、上記のように構成されたＨＳＡ２２をベース１２上に組み込んだ状態において、軸受ユニット２８は、その枢軸の下端部がベース１２に固定され、スピンドルモータ１８のスピンドルとほぼ平行に立設されている。各磁気ディスク１６は２本のＨＧＡ３０間に位置する。ＨＤＤの動作時、アーム３２に取付けられた磁気ヘッド１７は、磁気ディスク１６の上面および下面にそれぞれ対向し、磁気ディスクを両面側から挟持する。支持フレーム４３に固定されたボイスコイル４１は、ベース１２上に固定された一対のヨーク４４間に位置し、これらのヨークおよび一方のヨークに固定された図示しない磁石とともにＶＣＭ２４を構成している。
【００２１】
図１に示すように、基板ユニット２１は、フレキシブルプリント回路基板により形成された本体２１ａを有し、この本体２１ａはベース１２の底壁１２ａに固定されている。本体２１ａ上にはヘッドアンプ等の図示しない電子部品が実装されている。本体２１ａの底面には、プリント回路基板と接続するための図示しないコネクタが実装されている。
【００２２】
基板ユニット２１は本体２１ａから延出したメインフレキシブルプリント回路基板（以下、メインＦＰＣと称する）２１ｂを有している。メインＦＰＣ２１ｂの延出端は接続端部４２を構成している。後述するように、接続端部４２は、複数の接続パッドを有し、ＨＳＡ２２の軸受ユニット２８近傍に固定される。各ＨＧＡ３０の中継ＦＰＣ４０は、接続端部４２に機械的かつ電気的に接続されている。これにより、基板ユニット２１は、メインＦＰＣ２１ｂおよび中継ＦＰＣ４０を介して磁気ヘッド１７に電気的に接続されている。
【００２３】
図１に示すように、ランプロード機構２５は、ベース１２の底壁１２ａに設けられているとともに磁気ディスク１６の外側に配置されたランプ４５と、各サスペンション３４の先端から延出したタブ４６（図２、図３参照）と、を備えている。ＨＳＡ２２が軸受ユニット２８の周りで回動し、磁気ヘッド１７が磁気ディスク１６の外側の退避位置まで移動する際、各タブ４６は、ランプ４５に形成されたランプ面と係合し、その後、ランプ面の傾斜によって引き上げられる。これにより、磁気ヘッド１７が磁気ディスク１６からアンロードされ、退避位置に保持される。
【００２４】
次に、ＨＧＡ３０について詳細に説明する。図４は、サスペンション３４の先端部および磁気ヘッドを拡大して示し、図５は、サスペンション先端部の断面図である。
【００２５】
図２ないし図４に示すように、ロードビーム３４ａのディスク対向側に、ジンバル３６が取付けられている。ジンバル３６は、例えば、ステンレスの薄板により細長い帯状に形成されている。ジンバル３６は、平坦な矩形状のヘッド取付け部３６ａ、ヘッド取付け部からアーム３２の基端側に向かって二股状に延出する弾性部３６ｂ、この弾性部からアームの基端側に向かって延びる帯状の固定部３６ｃを有している。ヘッド取付け部３６ａは、ロードビーム３４ａの先端部に隙間をおいて対向し、その中心軸がロードビーム３４ａの中心軸とほぼ整列して位置している。弾性部３６ｂは、ヘッド取付け部３６ａの両側を隙間を置いて延びている。固定部３６ｃは、例えば、スポット溶接によりロードビーム３４ａに固定されている。
【００２６】
ジンバル３６は、ヘッド取付け部３６ａから延出したリミッタ３６ｄを有している。このリミッタ３６ｄは、ロードビーム３４ａに形成された透孔３４ｂを通してロードビーム３４ａの上面側に延出し、その延出端部は、ロードビームの上面と隙間を置いて対向している。リミッタ３６ｄは、ヘッド取付け部３６ａが磁気ディスク１６側へ大きく移動した際、ロードビーム３４ａに当接し、ヘッド取付け部３６ａの過度の移動を規制する。
【００２７】
ジンバル３６のヘッド取付け部３６ａに磁気ヘッド１７が取付けられている。磁気ヘッド１７は、ほぼ矩形状のスライダ５０とこのスライダに形成されたヘッド部５２とを有している。ヘッド部５２は、例えば、記録素子および再生用のＭＲ（磁気抵抗）素子を有している。スライダ５０は、ヘッド取付け部３６ａに対応する大きさに形成され、その背面側がヘッド取付け部３６ａに固定、例えば、接着されている。
【００２８】
ロードビーム３４ａにおいて、ジンバル３６のヘッド取付け部３６ａと対向する位置、すなわち、磁気ヘッド１７の中心部と対向する位置、に、ディンプル、ここでは、磁気ヘッド側に突出するほぼ半球状の突起３７が形成されている。突起３７は、磁気ヘッド１７の背面側で、ヘッド取付け部３６ａに当接している。ヘッド取付け部３６は、弾性部３６ｂの弾性により、突起３７に弾性的に押し付けられている。ジンバル３６のヘッド取付け部３６ａおよび磁気ヘッド１７は、弾性部３６ｂの弾性変形により、突起３７の回りで、ピッチ方向、ロール方向に変位し、あるいは、上下方向に変位することができる。更に、磁気ヘッド１７はサスペンション３４のばね力により磁気ディスク１６表面に向かって所定のヘッド荷重が印加される。
【００２９】
一方、図３および図４に示すように、中継ＦＰＣ４０は、アーム３２およびサスペンション３４の内面に貼り付けられ、サスペンションの先端からアームの基端部まで延びている。中継ＦＰＣ４０は、全体として細長い帯状に形成され、その先端は磁気ヘッド１７の図示しない電極に電気的に接続されている。中継ＦＰＣ４０の他端部は、アーム３２の基端部から外側に延出し、接続部５４を構成している。各接続部５４は、メインＦＰＣ２１ｂの接続端部４２に電気的、機械的に接続される。中継ＦＰＣ４０の裏面側には、例えば、ステンレス鋼板からなる細長い帯状の金属薄板（フレクシャ）６１が形成されている。中継ＦＰＣ４０は、金属薄板６１側がアーム３２およびサスペンション３４に貼付あるいはピボット溶接されている。金属薄板６１のサスペンション３４側の端部は、ジンバル３６と一体に形成されている。
【００３０】
図４および図５に示すように、各ＨＧＡ３０では、ジンバル３６のヘッド取付け部３６ａとスライダ５０の空気流Ｒの流入端とが重なる部分において、ヘッド取付け部３６ａとスライダ５０との間に、コンタミネーションを収容する隙間部６０が形成されている。本実施形態では、ヘッド取付け部３６ａの空気流Ｒの流入側の端部は、スライダ５０から離れる方向にクランク状あるいはステップ状に折曲げられ、リミッタ３６ｄに繋がっている。これにより、ジンバル３６とスライダ５０の流入端との間に、隙間部６０が形成されている。この隙間部６０は、例えば、ヘッド取付け部３６ａおよびスライダの全幅に亘って延び、また、スライダの流入端側に開口している。隙間部６０の流出端側は、ヘッド取付け部３６ａにより閉じられている。隙間部６０の高さ（幅）Ｇは、ロードビーム３４ａの突起３７の高さＴよりも小さく形成され、例えば、１０〜５０μｍに形成されている。
【００３１】
図５に示すように、磁気ディスク１６が高速で回転する際、スライダ５０の流入端近辺に空気流Ｒの流速がおおよそゼロになる「よどみ点」が発生するが、上記のように、ジンバル３６とスライダ５０の流入端との間に、集塵ポケットとして機能する隙間部６０を設けることにより、よどみ点の発生位置が隙間部６０に移動する。これにより、ＨＤＤ内に浮遊するコンタミネーションは、隙間部６０内に移動し蓄積される。隙間部６０に蓄積されたコンタミネーションは、磁気ディスク１６上への落下や再度ドライブ内に浮遊することが抑制される。
【００３２】
以上のように構成されたＨＤＤによれば、動作時、磁気ディスク１６が高速回転されるとともに、ボイスコイル４１に通電することにより、ＨＳＡ２２が軸受ユニット２８を中心として回動し、磁気ヘッド１７は磁気ディスク１６の所望のトラック上に移動および位置決めされる。磁気ヘッド１７により、磁気ディスク１６に対して情報処理、すなわち、情報の書き込み、読み出しが行われる。
【００３３】
ＨＤＤ内で発生するコンタミネーションは、磁気ディスク１６の回転により発生する空気流にのり、一部の塵埃はスライダ５０流入端とジンバル３６との間に形成された隙間部６０内に移動し、蓄積される。隙間部６０に蓄積されたコンタミネーションは、蓄積された塵埃等は、磁気ヘッド１７のローディング／アンローディング等の動作時においても、隙間部６０内に留まり、磁気ディスク１６上への落下やＨＤＤ内への再度の浮遊が抑制される。従って、コンタミネーションが磁気ディスクと磁気ヘッドとの間に侵入してこれらを損傷するといった障害を防止することができる。これにより、ＨＧＡおよびＨＤＤの信頼性向上を図ることができる。
【００３４】
次に、この発明の他の実施形態について説明する。  
図６は、第２の実施形態に係るＨＤＤにおけるＨＧＡ３０の磁気ヘッド部分を拡大して示し、図７は、図６の線Ｂ−Ｂに沿ったＨＧＡ先端部の断面図である。第２の実施形態において、前述した第１の実施形態と同一の部分には、同一の参照符号を付してその詳細な説明を省略する。
【００３５】
図６および図７に示すように、第２の実施形態によれば、ジンバル３６のヘッド取付け部３６ａに複数、例えば、３箇所に、ヘッド側に凸となる同一高さのヘッド支持部、すなわち、ボス６２が形成されている。これらのボス６２は、ヘッド取付け部３６ａの幅方向および長さ方向に互いに離間して設けられている。磁気ヘッド１７のスライダ５０は、その背面側がボス６２上に支持された状態で、ヘッド取付け部３６ａに固定されている。磁気ヘッド１７は、例えば、接着剤によりヘッド取付け部３６ａに接着されている。この際、接着剤は複数のボス６２間に充填され、スライダ５０の背面とヘッド取付け部３６ａとを接着している。この際、接着剤は、ボス６２により外側へ流出、漏れ出しが規制され、ボス６２間に保持される。
【００３６】
ＨＧＡ３０では、ジンバル３６のヘッド取付け部３６ａとスライダ５０の空気流Ｒの流入端とが重なる部分において、ヘッド取付け部３６ａとスライダ５０との間に、コンタミネーションを収容する隙間部６０が形成されている。ヘッド取付け部３６ａの空気流Ｒの流入側の端部は、スライダ５０から離れる方向にクランク状あるいはステップ状に折曲げられ、リミッタ３６ｄに繋がっている。これにより、ジンバル３６とスライダ５０の流入端との間に、隙間部６０が形成されている。この隙間部６０は、例えば、ヘッド取付け部３６ａおよびスライダの全幅に亘って延び、また、スライダの流入端側に開口している。隙間部６０の高さ（幅）Ｇは、ロードビーム３４ａの突起３７の高さＴよりも小さく、かつ、ボス６２の高さよりも大きく形成され、例えば、１０〜５０μｍに形成されている。
【００３７】
以上のように構成された第２の実施形態に係るＨＤＤにおいても、ＨＤＤ内で発生するコンタミネーションをＨＧＡ３０の隙間部６０に捕獲および蓄積することができ、蓄積された塵埃等の磁気ディスク１６上への落下やＨＤＤ内への再度の浮遊が抑制される。従って、コンタミネーションが磁気ディスクと磁気ヘッドとの間に侵入してこれらを損傷するといった障害を防止することができる。これにより、ＨＧＡおよびＨＤＤの信頼性向上を図ることができる。
【００３８】
次に、第３の実施形態に係るＨＤＤについて説明する。  
図８は、第３の実施形態に係るＨＤＤにおけるＨＧＡ３０の磁気ヘッド部分を拡大して示し、図９は、図８の線Ｃ−Ｃに沿ったＨＧＡ先端部の断面図である。第３の実施形態において、前述した第１の実施形態と同一の部分には、同一の参照符号を付してその詳細な説明を省略する。
【００３９】
第３の実施形態によれば、ＨＧＡ３０に形成された隙間部６０の形態が第１の実施形態と相違している。すなわち、図８および図９に示すように、ＨＧＡ３０では、ジンバル３６のヘッド取付け部３６ａとスライダ５０の空気流Ｒの流入端とが重なる部分において、ヘッド取付け部３６ａとスライダ５０との間に、コンタミネーションを収容する隙間部６０が形成されている。本実施形態では、ヘッド取付け部３６ａの空気流Ｒの流入側の端部は、スライダ５０から離れる方向にクランク状あるいはステップ状に折曲げられ、更に、スライダ５０の流入端を越えた位置で、スライダ５０側にクランク状あるいはステップ状に折曲げられた後、リミッタ３６ｄに繋がっている。これにより、ジンバル３６とスライダ５０の流入端との間に、隙間部６０が形成されている。この隙間部６０は、例えば、ヘッド取付け部３６ａおよびスライダの全幅に亘って延び、また、スライダの流入端側かつ磁気ディスク１６側に向かって開口している。隙間部６０の流出端側は、ヘッド取付け部３６ａにより閉じられている。隙間部６０の高さ（幅）は、ロードビーム３４ａの突起３７の高さＴよりも小さく形成され、例えば、１０〜５０μｍに形成されている。  
ＨＤＤの他の構成は、前述した第１の実施形態と同一である。
【００４０】
以上のように構成された第３の実施形態に係るＨＤＤにおいても、ＨＤＤ内で発生するコンタミネーションをＨＧＡ３０の隙間部６０に捕獲および蓄積することができ、蓄積された塵埃等の磁気ディスク１６上への落下やＨＤＤ内への再度の浮遊が抑制される。本実施形態によれば、隙間部６０を磁気ディスク１６側へ開口する形状とすることにより、捕獲したコンタミネーションの流出を一層抑制することができる。従って、コンタミネーションが磁気ディスクと磁気ヘッドとの間に侵入してこれらを損傷するといった障害を防止することができ、ＨＧＡおよびＨＤＤの信頼性向上を図ることができる。
【００４１】
次に、第４の実施形態に係るＨＤＤについて説明する。  
図１０は、第４の実施形態に係るＨＤＤにおけるＨＧＡ３０の磁気ヘッド部分を拡大して示している。第４の実施形態において、前述した第１の実施形態および第２の実施形態と同一の部分には、同一の参照符号を付してその詳細な説明を省略する。
【００４２】
第４の実施形態によれば、ＨＧＡ３０に形成された隙間部６０の形状が第１、第２の実施形態と相違している。すなわち、図１０に示すように、ＨＧＡ３０では、ジンバル３６のヘッド取付け部３６ａとスライダ５０の空気流Ｒの流入端とが重なる部分において、ヘッド取付け部３６ａとスライダ５０との間に、コンタミネーションを収容する隙間部６０が形成されている。本実施形態では、ヘッド取付け部３６ａの空気流Ｒの流入側の端部は、スライダ５０から離れる方向にクランク状あるいはステップ状に折曲げられた後、リミッタ３６ｄに繋がっている。これにより、ジンバル３６とスライダ５０の流入端との間に、隙間部６０が形成されている。この隙間部６０は、例えば、ヘッド取付け部３６ａおよびスライダの全幅に亘って延び、また、スライダの流入端側かつ磁気ディスク１６側に向かって開口している。隙間部６０の流出端側は、ヘッド取付け部３６ａにより閉じられているとともに、下流側に向かって先細に形成されている。例えば、隙間部６０の流出端側は、円弧状あるいは図示の楔状に形成されている。隙間部６０の高さ（幅）は、ロードビーム３４ａの突起３７の高さよりも小さく形成され、例えば、１０〜５０μｍに形成されている。  
ＨＤＤの他の構成は、前述した第１、第２の実施形態と同一である。
【００４３】
以上のように構成された第４の実施形態に係るＨＤＤにおいても、ＨＤＤ内で発生するコンタミネーションをＨＧＡ３０の隙間部６０に捕獲および蓄積することができ、蓄積された塵埃等の磁気ディスク１６上への落下やＨＤＤ内への再度の浮遊が抑制される。本実施形態によれば、隙間部６０を下流側に向かって先細の形状とすることにより、捕獲したコンタミネーションの流出を一層抑制することができる。従って、コンタミネーションが磁気ディスクと磁気ヘッドとの間に侵入してこれらを損傷するといった障害を防止することができ、ＨＧＡおよびＨＤＤの信頼性向上を図ることができる。
【００４４】
次に、第５の実施形態に係るＨＤＤについて説明する。  
図１１は、第５の実施形態に係るＨＤＤにおけるＨＧＡ３０の磁気ヘッド部分を拡大して示している。第５の実施形態において、前述した第１の実施形態と同一の部分には、同一の参照符号を付してその詳細な説明を省略する。
【００４５】
第５の実施形態によれば、ＨＧＡ３０に形成された隙間部６０の形状が第１の実施形態と相違している。すなわち、図１１に示すように、ＨＧＡ３０では、ジンバル３６のヘッド取付け部３６ａとスライダ５０の空気流Ｒの流入端とが重なる部分において、ヘッド取付け部３６ａとスライダ５０との間に、コンタミネーションを収容する隙間部６０が形成されている。本実施形態では、ヘッド取付け部３６ａの空気流Ｒの流入側の端部は、スライダ５０から離れる方向にクランク状あるいはステップ状に折曲げられた後、リミッタ３６ｄに繋がっている。これにより、ジンバル３６とスライダ５０の流入端との間に、隙間部６０が形成されている。スライダ５０の幅方向に沿った隙間部６０の長さは、スライダ５０の幅よりも小さく形成されている。隙間部６０は、スライダの流入端側に向かって開口している。隙間部６０の流出端側は、ヘッド取付け部３６ａにより閉じられている。隙間部６０の高さ（幅）は、ロードビーム３４ａの突起３７の高さよりも小さく形成され、例えば、１０〜５０μｍに形成されている。  
ＨＤＤの他の構成は、前述した第１の実施形態と同一である。
【００４６】
以上のように構成された第５の実施形態に係るＨＤＤにおいても、ＨＤＤ内で発生するコンタミネーションをＨＧＡ３０の隙間部６０に捕獲および蓄積することができ、蓄積された塵埃等の磁気ディスク１６上への落下やＨＤＤ内への再度の浮遊が抑制される。これにより、コンタミネーションが磁気ディスクと磁気ヘッドとの間に侵入してこれらを損傷するといった障害を防止することができ、ＨＧＡおよびＨＤＤの信頼性向上を図ることができる。
【００４７】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
上述した実施形態において、ＨＧＡのアームは、互いに独立した板状のアームを用いたが、これに限らず、いわゆるＥブロック形状の複数のアームと軸受スリーブとが一体に形成されたものを適用してもよい。磁気ディスクは、２．５インチに限らず、他の大きさの磁気ディスクとしてもよい。磁気ディスクは２枚に限らず、１枚あるいは３枚以上としてもよく、ＨＧＡの数も磁気ディスクの設置枚数に応じて増減すればよい。ＨＧＡの隙間部の形状は、上述した種々の実施形態に限定されることなく、適宜変更可能である。
【符号の説明】
【００４８】
１０…筐体、１２…ベース、１６…磁気ディスク、１７…磁気ヘッド、
１８…スピンドルモータ、２１…基板ユニット、
２２…ヘッドスタックアッセンブリ（ＨＳＡ）、２４…ＶＣＭ、
２８…軸受ユニット、３０…ヘッドジンバルアッセンブリ（ＨＧＡ）、
３２…アーム、３４…サスペンション、３４ａ…ロードビーム、３４ｂ…透孔、
３６…ジンバル、３６ａ…ヘッド取付け部、３６ｂ…弾性部、３６ｃ…固定部、
３６ｄ…リミッタ、３７…突起、４０…中継ＦＰＣ、５０…スライダ、
５２…ヘッド部、６０…隙間部
【図１】
2011248976.tif 000003
【図２】
2011248976.tif 000004
【図３】
2011248976.tif 000005
【図４】
2011248976.tif 000006
【図５】
2011248976.tif 000007
【図６】
2011248976.tif 000008
【図７】
2011248976.tif 000009
【図８】
2011248976.tif 000010
【図９】
2011248976.tif 000011
【図１０】
2011248976.tif 000012
【図１１】
2011248976.tif 000013
【手続補正書】
【提出日】平成23年8月1日(2011.8.1)
【手続補正１】
【補正対象書類名】明細書
【補正対象項目名】０００７
【補正方法】変更
【補正の内容】
【０００７】
実施形態によれば、ヘッドジンバルアッセンブリは、ロードビームおよびジンバルを有するサスペンションと、ヘッドを有し、前記ジンバルに取付けられたスライダと、前記ジンバルと前記スライダの空気流入端とが前記スライダの全幅に亘って重なる部分で前記ジンバルとスライダとの間に形成されコンタミネーションを収容する隙間部と、を備えている。
【手続補正２】
【補正対象書類名】特許請求の範囲
【補正対象項目名】全文
【補正方法】変更
【補正の内容】
【特許請求の範囲】
【請求項１】
ロードビームおよびジンバルを有するサスペンションと、
ヘッドを有し、前記ジンバルに取付けられたスライダと、
前記ジンバルと前記スライダの空気流入端とが前記スライダの全幅に亘って重なる部分で前記ジンバルとスライダとの間に形成されコンタミネーションを収容する隙間部と、
を備えるヘッドジンバルアッセンブリ。
【請求項２】
前記ロードビームは、前記ジンバルを介して前記スライダの中央部に当接する突起を有し、前記隙間部の高さは、前記突起の突出高さよりも小さい請求項１に記載のヘッドジンバルアッセンブリ。
【請求項３】
前記隙間部は、前記スライダの幅方向に沿って延び、前記スライダの流入端側に開口している請求項２に記載のヘッドジンバルアッセンブリ。
【請求項４】
前記隙間部は、前記スライダの幅よりも短い長さに形成され、前記隙間部の前記スライダの幅方向の両端は前記ジンバルにより閉じられている請求項３に記載のヘッドジンバルアッセンブリ。
【請求項５】
前記隙間部の流出端側は、前記ジンバルにより閉じられ、前記空気流の流出側に向かって先細に形成され、前記スライダの中央近辺で前記隙間部の奥行きが最も深くなる請求項３に記載のヘッドジンバルアッセンブリ。
【請求項６】
前記隙間部は、前記スライダの幅方向の全長に亘って延びている請求項３に記載のヘッドジンバルアッセンブリ。
【請求項７】
前記隙間部は、前記スライダの幅方向に沿って延び、前記空気流の流入端側および流出端側が前記ジンバルにより閉じられ、前記スライダ側に開口している請求項２に記載のヘッドジンバルアッセンブリ。
【請求項８】
前記ジンバルは、前記スライダに対応した大きさで平坦に形成された取付け部を有し、前記スライダは前記取付け部に接着されている請求項２に記載のヘッドジンバルアッセンブリ。
【請求項９】
前記ジンバルの取付け部は、それぞれ前記スライダ側に突出した複数のボスを有し、前記スライダは、前記複数のボス上に支持され、前記隙間部の高さは、前記ボスの突出高さよりも大きく、前記突起の突出高さよりも小さい請求項８に記載のヘッドジンバルアッセンブリ。
【請求項１０】
ディスク状の記録媒体と、
前記記録媒体を支持し回転する駆動モータと、
前記記録媒体に対して情報処理するヘッドを前記記録媒体に対して移動可能に支持するヘッドスタックアッセンブリと、を備え、
前記ヘッドスタックアッセンブリは、軸受部と、前記軸受部に支持された複数のヘッドジンバルアッセンブリと、を有し、
各ヘッドジンバルアッセンブリは、ロードビームおよびジンバルを有するサスペンションと、ヘッドを有し、前記ジンバルに取付けられたスライダと、前記ジンバルと前記スライダの空気流入端と前記スライダの全幅に亘って重なる部分で前記ジンバルとスライダとの間に形成されコンタミネーションを収容する隙間部と、を備えているディスク装置。
【請求項１１】
前記ロードビームは、前記ジンバルを介して前記スライダの中央部に当接する突起を有し、前記隙間部の高さは、前記突起の突出高さよりも小さい請求項１０に記載のディスク装置。
【請求項１２】
前記隙間部は、前記スライダの幅方向に沿って延び、前記スライダの流入端側に開口している請求項１１に記載のディスク装置。